【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
血液の通過を阻害するように構成された膜構成要素と、
遠位端部と近位端部を有する延伸式フレームと、
前記膜構成要素で全面的に被覆されているカップ状の閉塞性構成要素と、
前記延伸式フレームの前記遠位端部において又はその近傍において位置設定されている１つ以上のアンカーと、
前記閉塞性構成要素と前記１つ以上のアンカーとの間に配置されかつ前記閉塞性構成要素及び前記１つ以上のアンカーに連結されたハブ構成要素とを含む閉塞性デバイスにおいて、
前記１つ以上のアンカーを有する前記延伸式フレームが、その近位端部から遠位端部まで延在する複数のワイヤーで形成されており、
前記１つ以上のアンカーの中の少なくとも１つのアンカーが、互いに実質的に平行である第１の脚部と第２の脚部を含み、前記第１の脚部と前記第２の脚部が前記少なくとも１つのアンカーの端部で収束して１つの棘のないループを形成する、閉塞性デバイス。
【請求項２】
前記アンカーの少なくとも１つが少なくとも部分的に膜被覆材で被覆されている、請求項１に記載の閉塞性デバイス。
【請求項３】
前記カップ状の閉塞性構成要素が、張力付加時点で第１の形状構成をそして前記張力の除去時点で第２の形状構成を有し、前記第１の形状構成が管であり、前記第２の形状構成は、少なくとも２つの重複するペタルで形成され、少なくとも２つの重複するペタル間の運動を可能にするように構成されたカップ状の形状である、請求項１に記載の閉塞性デバイス。
【請求項４】
膜構成要素がフルオロポリマーを含む、請求項１に記載の閉塞性デバイス。
【請求項５】
膜構成要素がポリテトラフルオロエチレンを含む、請求項４に記載の閉塞性デバイス。
【請求項６】
膜構成要素が延伸ポリテトラフルオロエチレンを含む、請求項５に記載の閉塞性デバイス。
【請求項７】
複数のワイヤーがニチノールを含む、請求項１に記載の閉塞性デバイス。
【請求項８】
前記アンカーの少なくとも１つが、一般に遠位の方向にデバイスから離れるように延在し、デバイスと接触する第１の端部及び第２の端部を含んでいる、請求項１に記載の閉塞性デバイス。
【請求項９】
前記アンカーの少なくとも１つが片脚アンカーである、請求項８に記載の閉塞性デバイス。
【請求項１０】
前記アンカーの少なくとも１つが、アンカーの第２の端部の近くに湾曲部を含み、この湾曲部によって、アンカーの第２の端部は全体として近位に面するようになっている、請求項８に記載の閉塞性デバイス。
【請求項１１】
前記アンカーの少なくとも１つが、アンカーの第２の端部の近くに湾曲部を含み、この湾曲部によって、アンカーの第２の端部は全体として遠位に面するようになっている、請求項８に記載の閉塞性デバイス。
【請求項１２】
前記アンカーの少なくとも１つが１つ以上のくの字形の特徴を含む、請求項８に記載の閉塞性デバイス。
【請求項１３】
前記アンカーの少なくとも１つが１つ以上のヒンジを含む、請求項８に記載の閉塞性デバイス。
【請求項１４】
１つ以上のアンカーが、デバイスを中心として半径方向に均一に配置された複数のアンカーを含む、請求項１に記載の閉塞性デバイス。
【請求項１５】
１つ以上のアンカーは、半径方向に配置された複数のアンカーのうちの隣接するアンカーの全ての対について隣接するアンカーが互いに実質的に等しく離隔されるような形でデバイスを中心として半径方向に配置された複数のアンカーを含んでいる、請求項１に記載の閉塞性デバイス。
【請求項１６】
１つ以上のアンカーが、少なくとも１つの片脚アンカーと、第１の脚部と第２の脚部を有する少なくとも１つのアンカーとを含み、第１の脚部と第２の脚部が収束してループを形成する、請求項１に記載の閉塞性デバイス。
【請求項１７】
１つ以上のアンカーが、生体吸収性材料を含む、請求項１に記載の閉塞性デバイス。
【請求項１８】
１つ以上のアンカーが生体分解性材料を含む、請求項１に記載の閉塞性デバイス。
【請求項１９】
１つ以上のアンカーが、生体分解性又は生体吸収性材料を内含する棘を含む、請求項１に記載の閉塞性デバイス。
【請求項２０】
膜構成要素が生体分解性又は生体吸収性材料を含む、請求項１に記載の閉塞性デバイス。
【請求項２１】
１つ以上のアンカーが、ジグザグ配置でデバイスのまわりに配置されている、請求項１に記載の閉塞性デバイス。
【請求項２２】
前記ハブ構成要素がカップ状閉塞性構成要素を１つ以上のアンカーに結合している、請求項１に記載の閉塞性デバイス。
【請求項２３】
その第１の端部でカップ状閉塞性構成要素に取付けられ、その第２の端部でハブ構成要素に取付けられている可撓性コネクターをさらに含み、１つ以上のアンカーがハブ構成要素に取付けられている、請求項１に記載の閉塞性デバイス。
【請求項２４】
延伸式フレームがアイレットを含み、さらにアイレット全体にわたり配置されたキャップ構成要素が含まれ、キャップ構成要素は送達カテーテルと結合するように構成されたボアを画定している、請求項１に記載の閉塞性デバイス。
【請求項２５】
キャップ構成要素のボアが、キー付き送達カテーテルの嵌合い部分と結合するようにキー付きである、請求項２４に記載の閉塞性デバイス。
【請求項２６】
血液の通過を阻害するように構成された膜構成要素と、
遠位端部と近位端部を有する延伸式フレームと、
遠位端部と近位端部を有するカップ状の閉塞性構成要素と、
１つ以上のアンカーと、
前記閉塞性構成要素と前記１つ以上のアンカーとの間に可撓性コネクターとして配置されたハブ構成要素とを含む閉塞性デバイスにおいて、
前記カップ状の閉塞性構成要素が全面的に前記膜構成要素によって被覆されており、前記延伸式フレームの近位端部からその遠位端部まで延在する複数のワイヤーで形成されており、
前記１つ以上のアンカーの中の少なくとも１つのアンカーが、互いに実質的に平行である第１の脚部と第２の脚部を含み、前記第１の脚部と前記第２の脚部が前記少なくとも１つのアンカーの端部で収束して１つの棘のないループを形成する、閉塞性デバイス。
【請求項２７】
前記アンカーの少なくとも１つが少なくとも部分的に膜被覆材で被覆されている、請求項２６に記載の閉塞性デバイス。
【請求項２８】
前記カップ状閉塞性構成要素が、張力付加時点で第１の形状構成をそして前記張力の除去時点で第２の形状構成を有し、前記第１の形状構成が管であり、前記第２の形状構成は、少なくとも２つの重複するペタル間の運動を可能にするように構成された少なくとも２つの重複するペタルで形成されたカップ状の形状である、請求項２６に記載の閉塞性デバイス。
【請求項２９】
膜構成要素がフルオロポリマーを含む、請求項２６に記載の閉塞性デバイス。
【請求項３０】
膜構成要素がポリテトラフルオロエチレンを含む、請求項２９に記載の閉塞性デバイス。
【請求項３１】
膜構成要素が延伸ポリテトラフルオロエチレンを含む、請求項３０に記載の閉塞性デバイス。
【請求項３２】
複数のワイヤーがニチノールを含む、請求項２６に記載の閉塞性デバイス。
【請求項３３】
前記可撓性コネクターが、バネの形に形成された１つ以上のワイヤーである、請求項２６に記載の閉塞性デバイス。
【請求項３４】
前記可撓性コネクターが、ビーズ付きチェーンを含む、請求項２６に記載の閉塞性デバイス。
【請求項３５】
前記可撓性コネクターが、コイルタイプの可撓性コネクターを含む、請求項２６に記載の閉塞性デバイス。
【請求項３６】
前記可撓性コネクターが、編組線で形成されたビーズを含む、請求項２６に記載の閉塞性デバイス。
【請求項３７】
前記可撓性コネクターが可撓管を含む、請求項２６に記載の閉塞性デバイス。
【請求項３８】
可撓管がｅＰＴＦＥを含む、請求項３７に記載の閉塞性デバイス。
【請求項３９】
前記可撓性コネクターがシリコーンを含む、請求項２６に記載の閉塞性デバイス。
【請求項４０】
シリコーンが補強部材を含む、請求項３９に記載の閉塞性デバイス。
【請求項４１】
前記可撓性コネクターが自在継手を含む、請求項２６に記載の閉塞性デバイス。
【請求項４２】
前記可撓性コネクターが圧縮バネを含む、請求項２６に記載の閉塞性デバイス。
【請求項４３】
前記アンカーの少なくとも１つが、一般に遠位の方向にデバイスから離れるように延在し、デバイスに取付けられた第１の端部及び第２の端部を含んでいる、請求項２６に記載の閉塞性デバイス。
【請求項４４】
前記アンカーの少なくとも１つが、第２の端部の近くに湾曲部を含み、この湾曲部によって、第２の端部は全体として近位に面するようになっている、請求項４３に記載の閉塞性デバイス。
【請求項４５】
前記アンカーの少なくとも１つが、第２の端部の近くに湾曲部を含み、この湾曲部によって、第２の端部は全体として遠位に面するようになっている、請求項４３に記載の閉塞性デバイス。
【請求項４６】
前記アンカーの少なくとも１つが１つ以上のくの字形の特徴を含む、請求項４３に記載の閉塞性デバイス。
【請求項４７】
前記アンカーの少なくとも１つが１つ以上のヒンジを含む、請求項４３に記載の閉塞性デバイス。
【請求項４８】
１つ以上のアンカーが、デバイスを中心として半径方向に均一に配置された複数のアンカーを含む、請求項２６に記載の閉塞性デバイス。
【請求項４９】
１つ以上のアンカーは、半径方向に配置された複数のアンカーのうちの隣接するアンカーの全ての対について隣接するアンカーが互いに実質的に等しく離隔されるような形でデバイスを中心として半径方向に配置された複数のアンカーを含んでいる、請求項２６に記載の閉塞性デバイス。
【請求項５０】
１つ以上のアンカーが、少なくとも１つの片脚アンカーと、第１の脚部と第２の脚部を有する少なくとも１つのアンカーとを含み、第１の脚部と第２の脚部が収束してループを形成する、請求項２６に記載の閉塞性デバイス。
【請求項５１】
血液の通過を阻害するように構成された膜構成要素と、
遠位端部と近位端部を有する延伸式フレームと、
張力付加時点の第１の形状構成と前記張力の除去時点の第２の形状構成とを有するカップ状の閉塞性構成要素と、
１つ以上のアンカーと、
前記閉塞性構成要素と前記１つ以上のアンカーとの間のハブ構成要素とを含む閉塞性デバイスにおいて、
前記カップ状の閉塞性構成要素が全面的に前記膜構成要素によって被覆されており、
前記カップ状の閉塞性構成要素の前記第１の形状構成が管であり、前記第２の形状構成が、少なくとも２つの重複するペタル間の運動を可能にするように構成された、少なくとも２つの重複するペタルで形成されたカップ状の形状であり、
前記延伸式フレームが、その近位端部から遠位端部まで延在する複数のワイヤーで形成されており、
前記１つ以上のアンカーの中の少なくとも１つのアンカーが、互いに実質的に平行である第１の脚部と第２の脚部を含み、前記第１の脚部と前記第２の脚部が前記少なくとも１つのアンカーの端部で収束して１つの棘のないループを形成する、閉塞性デバイス。
【請求項５２】
血液の通過を阻害するように構成された膜構成要素と、
遠位端部と近位端部を有する延伸式フレームと、
張力付加時点の第1の形状構成と前記張力の除去時点の第２の形状構成とを有するカップ状の閉塞性構成要素と、
１つ以上のアンカーと、
前記閉塞性構成要素と前記１つ以上のアンカーとの間の可撓性コネクターと含む閉塞性デバイスにおいて、
前記カップ状閉塞性構成要素が全面的に前記膜構成要素によって被覆されており、
前記カップ状閉塞性構成要素の前記第１の形状構成が管であり、前記第２の形状構成が、少なくとも２つの重複するペタル間の運動を可能にするように構成された、少なくとも２つの重複するペタルで形成されたカップ状の形状であり、
前記延伸式フレームが、その近位端部から遠位端部まで延在する複数のワイヤーで形成されており、
前記１つ以上のアンカーの中の少なくとも１つのアンカーが、互いに実質的に平行である第１の脚部と第２の脚部を含み、前記第１の脚部と前記第２の脚部が前記少なくとも１つのアンカーの端部で収束して１つの棘のないループを形成する、閉塞性デバイス。